(57)【要約】  【要約】  玩具組み立てセットは平らな実質上正方形の複数の積み木片（１０）を含んでいる相互に接続可能なモジュール素子からなり、各モジュール素子は２つの対向する実質上正方形の主要面を有し、その第１主要面（１２）が一連の凹部（１４）を形成している。２つの隣接する狭い第１側面（２０，２２）はそれぞれの側面から直角に突出している耳片（２４）を支持している。２つの狭い第２側面（２６，２８）は隣接する積み木片の耳片（２４）を挿入できるようにそれぞれの側面から突出しているフォーク（３０）を支持している。各フォーク（３０）は密接な嵌め合せで凹部（１４）の１つに挿入できるような大きさ及び形状からなっている。前記モジュール素子は外周部に歯が付いた円板形状の複数の積み木片（３２）をも含み、各々の積み木片はフォーク（３０）を挿入することができる垂直方向の開口部（３６，３８）を有している。【選択図】    図１
2008532679.tif 000002
【特許請求の範囲】
【請求項１】
相互に接続可能なモジュール素子からなる玩具組み立てセットであって、該モジュール素子が実質上正方形の平らな複数の積み木片（１０）を含み、各積み木片が
第１主要面（１２）に一連の凹部（１４）を形成している２つの対向する実質上正方形の主要面と、
それぞれの側面から直角に突出している耳片（２４）を支持している２つの狭い第１側面（２０，２２）と、
隣接する積み木片の耳片（２４）を挿入できるようにそれぞれの側面から突出しているフォーク（３０）を支持している２つの狭い第２側面（２６，２８）と、
密接な嵌め合せで凹部（１４）の１つに挿入できるような大きさ及び形状からなっている各フォーク（３０）と、
を有していることを特徴とする玩具組み立てセット。
【請求項２】
各フォーク（３０）がそれぞれの側面から直角に突出している１対の平行なフィンを含むことを特徴とする請求項１に記載の玩具組み立てセット。
【請求項３】
実質上正方形の積み木片（１０）の各々が前記主要面の第２主要面（１６）から突出しかつ密接な嵌め合せで前記凹部（１４）に挿入可能な突起部（１８）を備えていることを特徴とする請求項１または２に記載の玩具組み立てセット。
【請求項４】
実質上正方形の積み木片（１０）の各々が正方形配列に配置された９つの凹部（１４）を有していることを特徴とする請求項１乃至３のいずれか１項に記載の玩具組み立てセット。
【請求項５】
実質上正方形の積み木片（１０）の各々が正方形配列の４つの角隅部の凹部（１４）とそれぞれ整列される４つの突起部（１８）とを有することを特徴とする請求項４に記載の玩具組み立てセット。
【請求項６】
積み木片（１０）の２つの隣接する凹部（１４）の中心間の距離が正方形配列の周辺凹部の中心と積み木片の隣接する耳片（１４）の中間点との間の距離に実質上等しいことを特徴とする請求項１ないし５のいずれか１項に記載の玩具組み立てセット。
【請求項７】
前記凹部（１４）と突起部（１８）とが実質上正方形であることを特徴とする請求項３ないし６のいずれか１項に記載の玩具組み立てセット。
【請求項８】
実質上正方形の積み木片（１０）の各々が第１側面（２０，２２）の各々に２つの耳片（２４）を備えると共に第２側面の各々に２つのフォーク（３０）を備え、２つの耳片（２４）間の距離（Ｌ）が２つのフォーク（３０）の中心（Ｄ）間の距離に等しいことを特徴とする請求項１ないし７のいずれか１項に記載の玩具組み立てセット。
【請求項９】
モジュール素子が外周部に歯が付いた円板形状の複数の積み木片（３２）を含み、各々の積み木片がフォーク（３０）を挿入することができる垂直方向の開口部（３６，３８）を有していることを特徴とする請求項１ないし８のいずれか１項に記載の玩具組み立てセット。
【請求項１０】
円板形状の積み木片（３２）の各々がその中心軸線を中心に正方形配列に配置させた８つの開口部（３６）を有することを特徴とする請求項９に記載の玩具組み立てセット。
【請求項１１】
前記開口部（３６）が正方形であることを特徴とする請求項１０に記載の玩具組み立てセット。
【請求項１２】
円板形状の積み木片（３２）が軸孔（３８）を備え、そして、該積み木片（３２）が更に軸孔（３８）に挿入可能な一端部（４４）を有すると共に正方形の積み木片（１０）の凹部（１４）または円板形状の積み木片（３２）の開口部（３６，３８）に挿入可能な対向端部（４８）を有する枢着部材（４２）を含むことを特徴とする請求項９に記載の玩具組み立てセット。
【請求項１３】
枢着部材（４２）の一端部（４４）が円板形状の積み木片（３２）の軸孔（３８）内で自由に回転可能であることを特徴とする請求項１２に記載の玩具組み立てセット。
【請求項１４】
円板形状の積み木片（３２）の外周部の歯（４０）のピッチ直径（Ｐ）が耳片（２４）の長さ（Ｂ）を加えた正方形の積み木片１０の側面（Ａ）の長さに等しいことを特徴とする請求項９ないし１３のいずれか１項に記載の玩具組み立てセット。
【発明の詳細な説明】
【技術分野】
【０００１】
本発明は建物、車両、家具、ならびに動物、植物等のごとき装飾的な図形又は実在の物体を表す立体的モデルを組み立てるために密接な嵌め合せでともに結合され得る合成材料から形成された複数の成形モジュール素子、いわゆる「積み木片（ブロック）」を含んでいる型式の玩具組み立てセットに関するものである。
【背景技術】
【０００２】
上記の型式の玩具組み立てセットは一般的に予め定められた数の積み木片を収容しているカートン内に包装されている。最も簡単な積み木片は代表的には正方形または長方形の外形を有する多面的な輪郭を有しており、そしてそれらは大きさ及び形状に関して互いに異なっているけれども、それらは１つのベース上に複数の突起を備えている共通の特徴を有しており、それらの突起は反対側のベース上に形成された対応する凹部に嵌め合せするように形成されている。変形例において、幾つかの積み木片は突起または凹部を備えた１種類のみのベースを有することもできる。
【０００３】
公知の玩具組み立てセットは互いの頂部に両方を積み重ね、そして並んで直角に連結されることができる積み木片を有するものは存在しない。この欠点は玩具の万能性およびその玩具が提供する創造的可能性にかなり影響を及ぼしている。
【０００４】
玩具組み立てセットは予め定めた輪郭を形成するために特に意図した非常に複雑な形状を有する種々の組み合せ積み木片の製造により長年にわたって発展してきている。その結果として、かかる積み木片はそれらの複雑さのため及び非常に多数の異なる形状の積み木片のため、多価値が制限され、かつ高い製造コストを有している。
【発明の開示】
【０００５】
それゆえ、本発明の主たる目的は、少数の積み木片を使用することによって同様に形成される複雑な輪郭を付与するために、連接する横方向の接続を可能にし、高い多価値を有するように形成される一種類の積み木片のみ、または多くても２種類の積み木片を含んでいる玩具組み立てセットを提供することにある。
【０００６】
本発明のさらに他の目的は子供による玩具の使用に関して高い安全性を有する積み木片を有する玩具組み立てセットを提供することにある。
【０００７】
上記の目的および以下で明らかになる他の目的および利点は特許請求の範囲の請求項１に列挙された特徴を有する玩具組み立てセットによって達成され、他方他の請求項は本発明の他の好都合な特徴を記載している。
【発明を実施するための最良の形態】
【０００８】
本発明を以下に添付図面に示した好適な実施例に関して詳細に説明する。
【０００９】
図に関して、本発明による玩具組み立てセットは密接な嵌め合せによりともに接続可能な２つの異なる型式のモジュール素子から構成されている。図１ないし図３は、２つの対向主要面を有する正方形の外形を備えた平らな積み木片１０からなる第１型式の素子を示している。第１主要面１２は正方形状配列に配置された９つの正方形形状の凹部１４を有している。第２主要面１６は正方形状配列の９つの凹部１４のうち角隅部の４つの凹部１４に整列されかつ密接な嵌め合せで該凹部に係合するような大きさになっている４つの正方形形状の突起部１８を有している。積み木片１０は４つの平らな側面を有している。２つの隣接する側面２０，２２はそれぞれの側面と主要面に対して直角に配置されかつ形成した凹部１４の２つの周辺列に整列させた２つの矩形状の耳片２４をそれぞれ備えている。他の２つの側面２６，２８は２つのフォーク３０をそれぞれ備えている。各フォーク３０はそれぞれの側面と主要面に対して直角に配置された１対の並んでいる矩形状のフィン（Ｆｉｎｓ）からなっている。フォーク３０のフィンは耳片２４がそれらの間に密接な嵌め合せで挿入可能でありかつ２つのフォーク３０の中心間の距離Ｄが２つの耳片２４間の距離Ｌに等しいように互いに配置されている。更に、各フォーク３０ならびに各耳片２４は密接な嵌め合せで凹部１４に係合可能な外側輪郭を有している。好ましくは、２つの隣接する凹部１４の中心間の距離は耳片２４の長さの半分に加えて、周辺の凹部１４の中心と隣接する側面の端縁との間の距離に等しくしてある。当業者には容易に理解できるように、この構成により、横方向に相互に接続された異なる積み木片１０に属する２つの凹部１４の中心間の距離は常に２つの隣接する凹部１４間の距離の倍数である。
【００１０】
図４乃至図６は円板形状の積み木片３２からなっている第２型式の素子を示している。円板形状の積み木片３２は正方形配列に配置されかつ正方形の積み木片１０の８つの周辺凹部１４に整列させた８つの垂直方向の開口部３６を有している。８つの開口部３６はフォーク３０、突起部１８及び耳片２４によって係合させるために凹部１４に対応する正方形の輪郭を有している。円板形状の積み木片３２は軸孔３８及び外周歯４０を備えている。好都合には、円板形状の積み木片の歯４０のピッチ直径Ｐは耳片２４の長さＢに加えた側面の長さＡに等しくしてある。当業者には即座に理解できるように、これは２つの円板形状の積み木片３２を互いに噛み合せるためにそれぞれ隣接する２つの正方形の積み木片１０の中間において２つの円板形状の積み木片３２が回動可能に枢着できるようになっている。
【００１１】
付属の枢着（ピボット）部材４２が図７ないし図９に示されている。枢着部材４２は円形の輪郭を有し、円板形状の積み木片３２の軸孔３８に回動可能に挿入し得るピン形状端部分４４と、該ピン形状端部４４に対して対向しかつ正方形の積み木片１０の凹部１４または円板形状の積み木片３２の開口部３６に密接な嵌め合せで挿入可能な筒状端部４８とを備えている。枢着部材４２は好ましくは中間の薄いスペーサフランジ４６をも備えている。ピン形状端部４４の自由端は外周縁部５０により包囲され、それによりピン形状端部４４はスナップ作用で軸孔３８に挿入されるようになっている。
【００１２】
使用において、正方形積み木片１０上の凹部１４および円板形状の積み木片３２上の開口３６は正方形積み木片の突起部１８及び耳片２４と協働し、正方形積み木片１０が他の正方形積み木片１０の頂部上に積み重ねられかつ円板形状の積み木片３６の頂部上に積み重ねられるようになっている。耳片２４はフォーク３０と協働し、正方形積み木片１０を横方向に相互に接続させかつ他の正方形積み木片１０及び円板形状の積み木片３６に対して直角に接続させるようになっている。
【００１３】
凹部１４、開口部３６、および突起部１８の正方形の輪郭は接合された２つの積み木片が対応する凹部１４または開口部３６内の１つのみの突起部１８またはフォーク３０の相互の係合によって接続が行なわれているときに、互いに回転するのを阻止する。
【００１４】
図１０は自動車６０を表す構成物を絵画化した斜視図である。その構成物はフレームを形成するように直角で横方向に接合される１２個の正方形の積み木片１０と、車輪を表しかつ枢着部材４２に対して枢着されている４つの円板形状の積み木片３２によって形成され、それぞれの枢着部材４２はフレームの側壁を形成している正方形の積み木片１０の対応する凹部１４に挿入されている。図１０においては、すべての正方形の積み木片１０が直角に接合されているけれども、耳片２４およびフォーク３０の形状は、多数の考え得る形状により、種々の角度での横方向の接続を可能にする。
【００１５】
好適な実施の形態を上記に説明したが、もちろん、本発明の技術思想の範囲内において当業者によって多数の変更を行うことができる。例えば、正方形の積み木片上の凹部および／または突起部の数、ならびに円板形状の積み木片上の開口部の数は変更され得る。横方向の側面上の耳片および／またはフォークの数も同様に図示された数から異にすることができる。
【図面の簡単な説明】
【００１６】
【図１】本発明による玩具組み立てセットに属する第１積み木片の上方からの平面図である。
【図２】図１の積み木片の下方からの底面図である。
【図３】図１のＩＩＩ−ＩＩＩに沿う図１の積み木片の断面図である。
【図４】本発明による玩具組み立てセットに属する第２積み木片の上方からの平面図である。
【図５】図４の積み木片の下方からの底面図である。
【図６】図４のＶＩ−ＶＩ線に沿う図４の積み木片の断面図である。
【図７】本発明による玩具組み立てセットに属する補助素子の上方からの平面図である。
【図８】図４の補助素子の下方からの底面図である。
【図９】図４のＩＸ−ＩＸ線に沿う図７の補助素子の断面図である。
【図１０】本発明による玩具組み立てセットにより組み立てられたモデルを示す絵画的斜視図である。
【符号の説明】
【００１７】
１０          正方形の積み木片
１２          第１主要面
１４          凹部
１６          第２主要面
１８          突起部
２０，２２    第１側面
２４          耳片
２６，２８    第２側面
３０          フォーク
３２          円板形状の積み木片
３６          開口部
３８          軸孔
４０          歯
４２          枢着部材
４４          ピン形状端部
４６          スペーサフランジ
４８          筒状端部
５０          外周縁部
６０          自動車
【図１】
2008532679.tif 000003
【図２】
2008532679.tif 000004
【図３】
2008532679.tif 000005
【図４】
2008532679.tif 000006
【図５】
2008532679.tif 000007
【図６】
2008532679.tif 000008
【図７】
2008532679.tif 000009
【図８】
2008532679.tif 000010
【図９】
2008532679.tif 000011
【図１０】
2008532679.tif 000012
【国際調査報告】
2008532679.tif 000013
2008532679.tif 000014